(57)【要約】【課題】集客力を向上させる適切な電子クーポンの配信を可能とした。【解決手段】無線基地局１において、制御部１０２内の在圏時間測定部２０４は、セル３内における無線端末２の在圏時間を測定し、情報送信部２０６は、当該在圏時間が所定の閾値以上である場合に、記憶部に記憶された電子クーポンを無線端末へ送信する。一方、無線端末は、無線基地局１からの電子クーポンを受信する。【選択図】図３
2010124126.tif 000002
【特許請求の範囲】
【請求項１】
無線基地局と無線端末とを含み、前記無線基地局と前記無線端末との間で通信を行う無線通信システムであって、
前記無線基地局は、
電子クーポンを記憶する記憶部と、
前記無線端末が前記無線基地局の通信可能領域に存在している時間を示す在圏時間を測定する在圏時間測定部と、
前記在圏時間測定部により測定された前記在圏時間が所定の閾値以上である場合に、前記記憶部に記憶された前記電子クーポンを前記無線端末へ送信する電子クーポン送信部と
を備え、
前記無線端末は、
前記無線基地局からの前記電子クーポンを受信する電子クーポン受信部を備える無線通信システム。
【請求項２】
無線端末との間で通信を行う無線基地局であって、
電子クーポンを記憶する第１の記憶部と、
前記無線端末が前記無線基地局の通信可能領域に存在している時間を示す在圏時間を測定する在圏時間測定部と、
前記在圏時間測定部により測定された前記在圏時間が所定の閾値以上である場合に、前記第１の記憶部に記憶された前記電子クーポンを前記無線端末へ送信する電子クーポン送信部と
を備える無線基地局。
【請求項３】
前記無線端末からの位置登録要求を受信する位置登録要求受信部を備え、
前記在圏時間測定部は、前記位置登録要求受信部により前記位置登録要求が受信された場合に、前記在圏時間の測定を開始する請求項２に記載の無線基地局。
【請求項４】
前記無線端末からの無線信号の電力を測定する電力測定部を備え、
前記在圏時間測定部は、前記電力測定部により測定された前記電力が所定値未満の場合に、前記在圏時間の測定を終了する請求項２又は請求項３に記載の無線基地局。
【請求項５】
前記無線端末からの前記無線端末の識別情報を受信する識別情報受信部と、
前記電子クーポンの送信先となるべき無線端末の識別情報である送信先無線端末識別情報を記憶する第２の記憶部を備え、
前記電子クーポン送信部は、前記第２の記憶部に記憶された前記送信先無線端末識別情報と、前記識別情報受信部により受信された前記無線端末の識別情報とが一致する場合に、前記無線端末へ前記電子クーポンを送信する請求項２乃至請求項４の何れかに記載の無線基地局。
【請求項６】
前記電子クーポンを送信済みである前記無線端末の識別情報を記憶する第３の記憶部を備える請求項５に記載の無線基地局。
【請求項７】
前記所定の閾値を設定する閾値設定部を備える請求項２乃至請求項６の何れかに記載の無線基地局。
【請求項８】
前記在圏時間測定部は、前記無線端末が前記通信可能領域に複数回在圏する場合に、前記複数回の在圏時間の累積を測定する請求項２乃至請求項７の何れかに記載の無線基地局。
【請求項９】
無線端末との間で通信を行う無線基地局における情報配信方法であって、
前記無線基地局が、前記無線端末が前記無線基地局の通信可能領域に存在している時間を示す在圏時間を測定するステップと、
前記無線基地局が、測定された前記在圏時間が所定の閾値以上である場合に、記憶部に記憶された電子クーポンを前記無線端末へ送信するステップと
を備える情報配信方法。
【発明の詳細な説明】
【技術分野】
【０００１】
本発明は、無線基地局と無線端末との間で通信を行う無線通信システム、当該無線通信システムにおける無線基地局、及び、当該無線基地局における情報配信方法に関する。
【背景技術】
【０００２】
近年、携帯電話機等の無線端末の普及に伴い、無線通信システムは、様々なサービスを提供している。例えば、店舗等に設置された無線基地局が、携帯電話機等の無線端末へ電子クーポンを送信する。無線端末は、この電子クーポンを受信する。これにより、無線端末の所持者は、電子クーポンを利用して、割り引き等の各種サービスを受けることが可能となる（例えば、特許文献１参照）。
【特許文献１】特開２００１−２１６４４９号公報
【発明の開示】
【発明が解決しようとする課題】
【０００３】
ところで、電子クーポンの発行元の店舗等は、客を店舗等に来訪させて集客力を向上させるために、店舗等に滞留する来訪者が所持する無線端末のみに電子クーポンを送信したいと考える場合がある。しかしながら、上述した従来の無線通信システムでは、無線基地局は、通りすがりの者が所持する無線端末にも電子クーポンを送信してしまう場合がある。
【０００４】
上記問題点に鑑み、本発明は、集客力を向上させる適切な電子クーポンの配信を可能とした無線通信システム、無線基地局及び情報配信方法を提供することを目的とする。
【課題を解決するための手段】
【０００５】
上述した課題を解決するために、本発明は以下のような特徴を有している。まず、本発明の第１の側面は、無線基地局（無線基地局１）と無線端末（無線端末２）とを含み、前記無線基地局と前記無線端末との間で通信を行う無線通信システム（無線通信システム１０）であって、前記無線基地局は、電子クーポンを記憶する記憶部（記憶部１０３）と、前記無線端末が前記無線基地局の通信可能領域に存在している時間を示す在圏時間を測定する在圏時間測定部（在圏時間測定部２０４）と、前記在圏時間測定部により測定された前記在圏時間が所定の閾値以上である場合に、前記記憶部に記憶された前記電子クーポンを前記無線端末へ送信する電子クーポン送信部（情報送信部２０６）とを備え、前記無線端末は、前記無線基地局からの前記電子クーポンを受信する電子クーポン受信部（情報受信部２５２）を備える。
【０００６】
このような無線通信システムによれば、無線基地局は、通信可能領域における無線端末の在圏時間が所定の閾値以上である場合に、無線端末へ電子クーポンを送信し、無線端末は電子クーポンを受信する。
【０００７】
つまり、このような無線通信システムによれば、無線基地局は、店舗等に短時間だけ存在する、通りすがりの者が所持する無線端末には、電子クーポンを送信せず、店舗等にある程度長時間滞留する者が所持する無線端末にのみ、電子クーポンを送信することができ、集客力を向上させる適切な電子クーポンの配信が可能となる。
【０００８】
本発明の第２の側面は、無線端末（無線端末２）との間で通信を行う無線基地局（無線基地局１）であって、電子クーポンを記憶する記憶部（記憶部１０３）と、前記無線端末が前記無線基地局の通信可能領域に存在している時間を示す在圏時間を測定する在圏時間測定部（在圏時間測定部２０４）と、前記在圏時間測定部により測定された前記在圏時間が所定の閾値以上である場合に、前記記憶部に記憶された前記電子クーポンを前記無線端末へ送信する電子クーポン送信部（情報送信部２０６）とを備える。
【０００９】
このような無線基地局は、通信可能領域における無線端末の在圏時間が所定の閾値以上である場合に、無線端末へ電子クーポンを送信する。
【００１０】
つまり、このような無線基地局は、店舗等に短時間だけ存在する、通りすがりの者が所持する無線端末には、電子クーポンを送信せず、店舗等にある程度長時間滞留する者が所持する無線端末にのみ、電子クーポンを送信することができ、集客力を向上させる適切な電子クーポンの配信が可能となる。
【００１１】
本発明の第３の側面は、前記無線基地局は、前記無線端末からの位置登録要求を受信する位置登録要求受信部（情報受信部２０２）を備え、前記在圏時間測定部は、前記位置登録要求受信部により前記位置登録要求が受信された場合に、前記在圏時間の測定を開始する。
【００１２】
無線端末は、無線基地局の通信可能領域に進入した場合に、無線基地局に対して位置登録要求を送信する。したがって、無線基地局が位置登録要求を受信した場合に在圏時間の測定を開始することで、より正確な在圏時間の測定が可能となる。
【００１３】
本発明の第４の側面は、前記無線基地局は、前記無線端末からの無線信号の電力を測定する電力測定部（電力測定部２０８）を備え、前記在圏時間測定部は、前記電力測定部により測定された前記電力が所定値未満の場合に、前記在圏時間の測定を終了する。
【００１４】
無線端末が無線基地局の通信可能領域から退出すると、無線基地局が受信する当該無線端末からの信号の電力が低下する。したがって、無線基地局が、無線端末からの無線信号の電力が所定値未満の場合に在圏時間の測定を終了することで、より正確な在圏時間の測定が可能となる。
【００１５】
本発明の第５の側面は、前記無線基地局は、前記無線端末からの前記無線端末の識別情報を受信する識別情報受信部（情報受信部２０２）と、前記電子クーポンの送信先となるべき無線端末の識別情報である送信先無線端末識別情報を記憶する第２の記憶部（記憶部１０３）を備え、前記電子クーポン送信部は、前記第２の記憶部に記憶された前記送信先無線端末識別情報と、前記識別情報受信部により受信された前記無線端末の識別情報とが一致する場合に、前記無線端末へ前記電子クーポンを送信する。
【００１６】
このような無線基地局によれば、無線端末からの当該無線端末の識別情報と、第２の記憶部に記憶された電子クーポンの送信先となるべき無線端末の識別情報（送信先無線端末識別情報）が一致する場合に、無線端末へ電子クーポンを送信する。したがって、電子クーポンの配信先を更に限定し、特定の者にのみ、より有用な電子クーポンを配信する等の電子クーポンの使い分けが可能となる。
【００１７】
本発明の第６の側面は、前記無線基地局は、前記電子クーポンを送信済みである前記無線端末の識別情報を記憶する第３の記憶部（記憶部１０３）を備える。
【００１８】
このような無線基地局によれば、送信済みである無線端末の識別情報を記憶することで、電子クーポンの配信先を管理することができ、それ以降の電子クーポンにかかわるサービスへの利用等が可能となる。
【００１９】
本発明の第７の側面は、前記無線基地局は、前記所定の閾値を設定する閾値設定部を備える。
【００２０】
このような無線基地局によれば、時間帯によって所定の閾値を変える等、電子クーポンの配信元の店舗等の意思を反映させた電子クーポンの配信が可能となる。
【００２１】
本発明の第８の側面は、前記在圏時間測定部は、前記無線端末が前記通信可能領域に複数回在圏する場合に、前記複数回の在圏時間の累積を測定する。
【００２２】
このような無線基地局によれば、一度の在圏時間のみで電子クーポンの配信の可否を判断するのではなく、過去の在圏時間も考慮した電子クーポンの配信が可能となる。
【００２３】
本発明の第９の側面は、無線端末との間で通信を行う無線基地局における情報配信方法であって、前記無線基地局が、前記無線端末が前記無線基地局の通信可能領域に存在している時間を示す在圏時間を測定するステップと、前記無線基地局が、測定された前記在圏時間が所定の閾値以上である場合に、記憶部に記憶された電子クーポンを前記無線端末へ送信するステップとを備えることを要旨とする。
【発明の効果】
【００２４】
本発明によれば、無線基地局は、店舗等に短時間だけ存在する、通りすがりの者が所持する無線端末には、電子クーポンを送信せず、店舗等にある程度長時間滞留する者が所持する無線端末にのみ、電子クーポンを送信することができ、集客力を向上させる適切な電子クーポンの配信が可能となる。
【発明を実施するための最良の形態】
【００２５】
次に、図面を参照して、本発明の実施形態を説明する。具体的には、（１）無線通信システムの構成、（２）無線基地局の動作、（３）作用・効果、（４）その他の実施形態について説明する。
【００２６】
（１）無線通信システムの構成
まず、本発明の実施形態に係る無線通信システムの構成について、（１．１）無線通信システムの全体概略構成、（１．２）無線基地局の構成、（１．３）無線端末の構成の順に説明する。
【００２７】
（１．１）無線通信システムの全体概略構成
図１は、本発明の実施形態に係る無線通信システム１０の全体概略構成図である。
【００２８】
図１に示すように、無線通信システム１０は、無線基地局１と無線端末２とを含む。無線通信システム１０において、無線基地局１は、店舗やコンサートホール等（以下、「店舗等」と称する）に設置されている。
【００２９】
無線端末２は、例えば携帯電話機であり、無線基地局１の通信可能領域であるセル３に進入したり、セル３から退出する。無線基地局１は、セル３内にパイロット信号を送信する。無線端末２は、セル３内に存在（在圏）する場合、無線基地局１が送信するパイロット信号を受信し、当該無線基地局１に、位置登録要求と、当該無線端末２の識別情報である端末ＩＤとを送信する。
【００３０】
無線基地局１は、無線端末２からの位置登録要求及び端末ＩＤを受信すると、当該無線端末２の位置登録を行うとともに、当該無線端末２に対して通信チャネルを割り当てる。これにより、無線基地局１と無線端末２との間の通信が可能となる。
【００３１】
（１．２）無線基地局の構成
次に、無線基地局１の構成について、（１．２．１）無線基地局の概略構成、（１．２．２）無線基地局の詳細構成の順に説明する。
【００３２】
（１．２．１）無線基地局の概略構成
図２は、無線基地局１の概略構成図である。図２に示すように、無線基地局１は、制御部１０２、記憶部１０３、Ｉ／Ｆ部１０４、無線通信部１０６及びアンテナ１０８を含む。
【００３３】
制御部１０２は、例えばＣＰＵによって構成され、無線基地局１が具備する各種機能を制御する。記憶部１０３は、例えばメモリによって構成される。記憶部１０３は、無線基地局１における制御等に用いられる情報、電子クーポン、後述する在圏時間情報、電子クーポン配信先情報及び電子クーポン配信済み情報を記憶する。
【００３４】
Ｉ／Ｆ部１０４は、ルータなどを介してネットワークに存在するアクセスゲートウェイ等に接続される。無線通信部１０６は、ＲＦ回路、ベースバンド回路等を含み、変調及び復調、符号化及び復号等を行い、アンテナ１０８を介して無線信号の送受信を行う。
【００３５】
（１．２．２）無線基地局の詳細構成
次に、無線基地局１の詳細構成、具体的には、制御部１０２の機能ブロック構成について説明する。図３は、無線基地局１の制御部１０２の機能ブロック構成図である。
【００３６】
図３に示すように、制御部１０２は、情報受信部２０２、在圏時間測定部２０４、情報送信部２０６、電力測定部２０８及び閾値設定部２１０を含む。
【００３７】
情報受信部２０２は、無線端末２からの位置登録要求及び端末ＩＤを受信する。更に、情報受信部２０２は、位置登録要求及び端末ＩＤを在圏時間測定部２０４へ出力する。
【００３８】
在圏時間測定部２０４は、情報受信部２０２からの位置登録要求及び端末ＩＤを入力すると、記憶部１０３に記憶された在圏時間情報を読み出す。
【００３９】
図４は、在圏時間情報の一例を示す図である。図４に示す在圏時間情報は、無線端末の端末ＩＤと、当該無線端末が過去にセル３内に在圏した時間の累積値とを対応づけて構成される。
【００４０】
再び、図３に戻って説明する。在圏時間測定部２０４は、情報受信部２０２からの端末ＩＤが、記憶部１０３から読み出した在圏時間情報内の端末ＩＤのいずれかと一致するか否かを判定する。情報受信部２０２からの端末ＩＤが、記憶部１０３から読み出した在圏時間情報内の端末ＩＤのいずれかと一致するということは、過去に無線端末２がセル３内に在圏しており、その在圏した時間の累積値が記憶部１０３に記憶されているということを示す。
【００４１】
この場合、在圏時間測定部２０４は、在圏時間情報のうち、情報受信部２０２からの端末ＩＤを含む在圏時間情報内の在圏時間累積値を抽出する。更に、在圏時間測定部２０４は、無線基地局１によって位置登録要求が受信されてからの時間を測定し、その測定時間に抽出した在圏時間累積値に加算することにより、無線端末２がセル３内に複数回在圏している時間（在圏時間）を測定する処理（在圏時間測定・累積処理）を開始する。
【００４２】
一方、情報受信部２０２からの端末ＩＤが、記憶部１０３から読み出した在圏時間情報内の端末ＩＤのいずれかと一致しないということは、過去に無線端末２がセル３内に在圏していないことを示す。
【００４３】
この場合、在圏時間測定部２０４は、無線基地局１によって位置登録要求が受信されてからの時間を、無線端末２がセル３内に在圏している時間（在圏時間）として測定する処理を開始する（在圏時間測定処理）。
【００４４】
在圏時間測定部２０４は、在圏時間測定・累積処理又は在圏時間測定処理を開始すると、情報送信部２０６に対して、在圏確認要求の送信を指示する。情報送信部２０６は、この指示に応じて、在圏確認要求をセル３内へ送信する。
【００４５】
無線端末２は、セル３内に在圏する場合、在圏確認要求を受信すると、当該在圏確認要求に対する応答である在圏応答を送信する。
【００４６】
情報受信部２０２は、無線端末２からの在圏応答を受信する。更に、情報受信部２０２は、在圏応答を電力測定部２０８へ出力する。
【００４７】
電力測定部２０８は、情報受信部２０２からの在圏応答を入力すると、当該在圏応答の電力を測定する。更に、電力測定部２０８は、電力測定値を在圏時間測定部２０４へ出力する。
【００４８】
在圏時間測定部２０４は、電力測定部２０８からの電力測定値が所定値未満であるか否かを判定する。電力測定値が所定値未満の場合、在圏時間測定部２０４は、在圏時間測定・累積処理又は在圏時間測定処理を終了する。更に、在圏時間測定部２０４は、測定終了時の在圏時間を在圏時間累積値とし、当該在圏時間累積値と、無線端末２の端末ＩＤを対応づけた在圏時間情報を生成または更新して記憶部１０３に記憶させる。
【００４９】
また、在圏時間測定部２０４は、測定している在圏時間が所定の閾値以上となったか否かを判定する。ここで、閾値設定部２１０は、上述した所定の閾値を、利用者等の指示に応じて設定することができる。
【００５０】
在圏時間が所定の閾値以上となった場合、在圏時間測定部２０４は、記憶部１０３に記憶された電子クーポン配信先情報を読み出す。  図５は、電子クーポン配信先情報の一例を示す図である。図５に示す電子クーポン配信先情報は、電子クーポンの識別情報である電子クーポンＩＤと、当該電子クーポンＩＤに対応する電子クーポンが配信されるべき無線端末の端末ＩＤ（配信先端末ＩＤ）とを対応づけて構成される。
【００５１】
再び、図３に戻って説明する。在圏時間測定部２０４は、情報受信部２０２からの端末ＩＤが、記憶部１０３から読み出した電子クーポン配信先情報内の配信先端末ＩＤのいずれかと一致するか否かを判定する。情報受信部２０２からの端末ＩＤが、記憶部１０３から読み出した送信対象端末ＩＤ内の端末ＩＤのいずれかと一致するということは、無線端末２が電子クーポンの配信先となることを示す。
【００５２】
この場合、在圏時間測定部２０４は、情報受信部２０２からの端末ＩＤを配信先端末ＩＤとして含む電子クーポン配信先情報を選択する。更に、在圏時間測定部２０４は、選択した電子クーポン配信先情報内の電子クーポンＩＤ及び配信先端末ＩＤを抽出する。次に、在圏時間測定部２０４は、抽出した電子クーポンＩＤに対応する電子クーポンを記憶部１０３から読み出す。更に、在圏時間測定部２０４は、読み出した電子クーポンと、抽出した配信先端末ＩＤとを情報送信部２０６へ出力する。
【００５３】
情報送信部２０６は、在圏時間測定部２０４からの電子クーポンを、在圏時間測定部２０４からの配信先端末ＩＤに対応する無線端末である無線端末２へ送信する。
【００５４】
その後、在圏時間測定部２０４は、抽出した電子クーポンＩＤと配信先端末ＩＤとを対応づけた電子クーポン配信済み情報を生成し、記憶部１０３に記憶させる。
【００５５】
図６は、電子クーポン配信済み情報の一例を示す図である。図５に示す電子クーポン配信済み情報は、配信済みの電子クーポンの識別情報である電子クーポンＩＤと、当該電子クーポンＩＤに対応する電子クーポンの送信先である無線端末の端末ＩＤ（配信済み端末ＩＤ）とを対応づけて構成される。
【００５６】
（１．３）無線端末の構成
次に、無線端末２の構成について、（１．３．１）無線端末の概略構成、（１．３．２）無線端末の詳細構成の順に説明する。
【００５７】
（１．３．１）無線端末の概略構成
図７は、無線端末２の概略構成図である。図７に示すように、無線端末２は、制御部１５２、記憶部１５３、アンテナ１５４、無線通信部１５６、モニタ１５８、マイク１６０、スピーカ１６２及び操作部１６４を含む。
【００５８】
制御部１５２は、例えばＣＰＵによって構成され、無線端末２が具備する各種機能を制御する。記憶部１５３は、例えばメモリによって構成され、無線端末２における制御などに用いられる各種情報を記憶する。
【００５９】
無線通信部１５６は、ＲＦ回路、ベースバンド回路等を含み、ＲＦ回路、ベースバンド回路等を含み、変調及び復調、符号化及び復号等を行い、アンテナ１５４を介して無線信号の送受信を行う。また、無線通信部１５６は、アンテナ１５４を介して、無線基地局１が送信するパイロット信号を受信する。
【００６０】
モニタ１５８は、制御部１５２を介して受信した画像を表示したり、操作内容（入力電話番号やアドレスなど）を表示したりする。マイク１６０は、音声を集音し、集音された音声に基づく音声データを制御部１５２へ出力する。スピーカ１６２は、制御部１５２から取得した音声データに基づいて音声を出力する。
【００６１】
操作部１６４は、テンキーやファンクションキーなどによって構成され、ユーザの操作内容を入力するために用いられるインタフェースである。
【００６２】
（１．３．２）無線端末の詳細構成
次に、無線端末２の詳細構成、具体的には、制御部１５２の機能ブロック構成について説明する。図８は、制御部１５２の機能ブロック構成図である。図８に示すように、制御部１５２は、情報受信部２５２、情報識別部２５４及び情報送信部２５６を含む。
【００６３】
情報受信部２５２は、無線基地局１からの信号（パイロット信号、在圏確認要求、電子クーポン等）を受信し、情報識別部２５４へ出力する。情報識別部２５４は、情報受信部２５２からの信号を解析する。
【００６４】
情報受信部２５２からの信号がパイロット信号である場合、情報識別部２５４は、情報送信部２５６に対して位置登録要求の送信を指示する。情報送信部２５６は、情報識別部２５４の指示に応じて、位置登録要求及び無線端末２の端末ＩＤを送信する。
【００６５】
また、情報受信部２５２からの信号が在圏確認要求である場合、情報識別部２５４は、情報送信部２５６に対して在圏応答の送信を指示する。情報送信部２５６は、情報識別部２５４の指示に応じて、在圏応答を送信する。
【００６６】
また、情報受信部２５２からの信号が電子クーポンである場合、情報識別部２５４は、その電子クーポンを示す画像をモニタ１５８に表示させる等、電子クーポンの提示処理を行う。
【００６７】
（２）無線基地局の動作
図９及び図１０は、無線基地局１の動作を示すフローチャートである。
【００６８】
図９のステップＳ１０１において、無線基地局１は、セル３内にパイロット信号を送信する。無線端末２は、セル３内に在圏する場合、無線基地局１からのパイロット信号を受信し、当該無線基地局１に、位置登録要求と、当該無線端末２の識別情報である端末ＩＤとを送信する。
【００６９】
ステップＳ１０２において、無線基地局１は、無線端末２からの位置登録要求及び端末ＩＤを受信したか否かを判定する。位置登録要求及び端末ＩＤを受信していない場合、ステップＳ１０１における、パイロット信号の送信以降の動作が繰り返される。
【００７０】
一方、無線端末２からの位置登録要求及び端末ＩＤが受信された場合、ステップＳ１０３において、無線基地局１は、無線端末２の位置登録を行う。これにより、無線基地局１は、無線端末２との間で通信を行うことが可能となる。
【００７１】
ステップＳ１０４において、無線基地局１は、通信相手である無線端末２の在圏時間情報が存在するか否かを判定する。具体的には、無線端末２から受信した端末ＩＤが、在圏時間情報内の端末ＩＤのいずれかと一致する場合、無線基地局１は、通信相手である無線端末２の在圏時間情報が存在すると判定する。
【００７２】
無線端末２の在圏時間情報が存在しない場合、ステップＳ１０５において、無線基地局１は、位置登録要求を受信してからの時間を、無線端末２の在圏時間として測定する処理を開始する。
【００７３】
一方、無線端末２の在圏時間情報が存在する場合、ステップＳ１０６において、無線基地局１は、位置登録要求を受信してからの時間を測定し、当該測定時間を在圏時間累積値に加算した時間を、無線端末２の在圏時間として測定する処理を開始する。
【００７４】
ステップＳ１０５における在圏時間の測定の開始後、又は、ステップＳ１０６における在圏時間の測定及び累積の開始後、図１０に示す動作に移行する。
【００７５】
図１０のＳ１５１において、無線基地局１は、在圏確認要求をセル３内へ送信する。
【００７６】
無線端末２は、セル３内に在圏する場合、在圏確認要求を受信すると、当該在圏確認要求に対する応答である在圏応答を送信する。
【００７７】
ステップＳ１５２において、無線基地局１は、無線端末２からの在圏応答を受信したか否かを判定する。在圏応答が受信された場合、ステップＳ１５３において、無線基地局１は、在圏応答の電力を測定する。
【００７８】
ステップＳ１５４において、無線基地局１は、電力測定値が所定値未満であるか否かを判定する。電力測定値が所定値以上である場合、ステップＳ１５５において、無線基地局１は、無線端末２の在圏時間が閾値以上であるか否かを判定する。無線端末２の在圏時間が閾値未満である場合、ステップＳ１０１における、パイロット信号の送信以降の動作が繰り返される。
【００７９】
一方、無線端末２の在圏時間が閾値以上である場合、ステップＳ１５６において、無線基地局１は、通信相手である無線端末２が電子クーポンの配信対象であるか否かを判定する。具体的には、無線端末２から受信した端末ＩＤが、電子クーポン配信先情報内の配信先端末ＩＤのいずれかと一致する場合、無線基地局１は、通信相手である無線端末２が電子クーポンの配信対象であると判定する。
【００８０】
無線端末２が電子クーポンの配信対象である場合、ステップＳ１５７において、無線基地局１は、無線端末２から受信した端末ＩＤを配信先端末ＩＤとして含む電子クーポン配信先情報内の電子クーポンＩＤに対応する電子クーポンを無線端末２へ送信する。
【００８１】
電子クーポンの送信後、ステップ１５８において、無線基地局１は、電子クーポン配信済み情報を記憶する。
【００８２】
ステップＳ１５６において、無線端末が電子クーポンの配信対象でないと判定された後、又は、ステップＳ１５８において、電子クーポン配信済み情報が記憶された後、ステップＳ１５９において、無線基地局１は、在圏確認要求をセル３内へ送信する。
【００８３】
無線端末２は、セル３内に在圏する場合、在圏確認要求を受信すると、当該在圏確認要求に対する応答である在圏応答を送信する。
【００８４】
ステップＳ１６０において、無線基地局１は、無線端末２からの在圏応答を受信したか否かを判定する。在圏応答が受信された場合、ステップＳ１６１において、無線基地局１は、当該在圏応答の電力を測定する。
【００８５】
ステップＳ１６２において、無線基地局１は、電力測定値が所定値未満であるか否かを判定する。電力測定値が所定値以上である場合、ステップＳ１５９における、パイロット信号の送信以降の動作が繰り返される。
【００８６】
一方、ステップＳ１６２において、電力測定値が所定値未満と判定された場合、ステップＳ１６０において、在圏応答が受信されていないと判定された場合、ステップＳ１５４において、電力測定値が所定値未満であると判定された場合、又は、ステップＳ１５２において、在圏応答が受信されていないと判定された場合、ステップＳ１６３において、無線基地局１は、在圏時間測定処理又は在圏時間測定・累積処理を終了する。
【００８７】
更に、ステップＳ１６４において、無線基地局１は、測定終了時の在圏時間を在圏時間累積値とし、当該在圏時間累積値と、無線端末２の端末ＩＤを対応づけた在圏時間情報を生成して記憶する。
【００８８】
（３）作用・効果
このように、本発明の実施形態に係る無線通信システム１０によれば、無線基地局１において、在圏時間測定部２０４は、セル３内における無線端末２の在圏時間を測定し、情報送信部２０６は、当該在圏時間が所定の閾値以上である場合に、記憶部１０３に記憶された電子クーポンを無線端末２へ送信する。一方、無線端末２において、情報受信部２５２は、無線基地局１からの電子クーポンを受信する。
【００８９】
したがって、無線基地局１は、当該無線基地局１が設置された店舗等に短時間だけ存在する、通りすがりの者が所持する無線端末には、電子クーポンを送信せず、店舗等にある程度長時間滞留する者が所持する無線端末にのみ、電子クーポンを送信することができ、店舗等への集客力を向上させる適切な電子クーポンの配信が可能となる。
【００９０】
また、本発明の実施形態に係る無線通信システム１０によれば、無線基地局１において、情報受信部２０２は、無線端末２からの位置登録要求を受信し、在圏時間測定部２０４は、位置登録要求が受信された場合に、在圏時間の測定を開始する。
【００９１】
無線端末２は、セル３内に進入した場合に、無線基地局に対して位置登録要求を送信する。したがって、無線基地局１が位置登録要求を受信した場合に在圏時間の測定を開始することで、より正確な在圏時間の測定が可能となる。
【００９２】
また、本発明の実施形態に係る無線通信システム１０によれば、無線基地局１において、電力測定部２０８は、無線端末からの在圏応答の電力を測定し、在圏時間測定部２０４は、測定された電力が所定値未満の場合に、在圏時間の測定を終了する。
【００９３】
無線端末２がセル３内から退出すると、無線基地局１が受信する在圏応答の電力が低下する。したがって、無線基地局１が、在圏応答の電力が所定値未満の場合に在圏時間の測定を終了することで、より正確な在圏時間の測定が可能となる。
【００９４】
また、本発明の実施形態に係る無線通信システム１０によれば、無線基地局１において、情報受信部２０２は、無線端末２からの端末ＩＤを受信し、情報送信部２０６は、無線端末２からの端末ＩＤと、記憶部１０３に記憶された電子クーポン配信先情報内の端末ＩＤとが一致する場合に、無線端末２へ電子クーポンを送信する。
【００９５】
したがって、電子クーポンの配信先を更に限定し、特定の者にのみ、より有用な電子クーポンを配信する等の電子クーポンの使い分けが可能となる。
【００９６】
また、本発明の実施形態に係る無線通信システム１０によれば、無線基地局１において、記憶部１０３は、電子クーポンを送信済みである無線端末の端末ＩＤを含んだ電子クーポン配信済み情報を記憶する。
【００９７】
したがって、電子クーポンの配信先を管理することができ、それ以降の電子クーポンにかかわるサービスへの利用等が可能となる。
【００９８】
また、本発明の実施形態に係る無線通信システム１０によれば、閾値設定部２１０は、在圏時間が所定の閾値以上であるか否かを判定する際に用いられる、当該所定の閾値を設定する。
【００９９】
このように閾値を可変にすることで、時間帯によって所定の閾値を変える等、電子クーポンの配信元の店舗等の意思を反映させた電子クーポンの配信が可能となる。また、在圏時間測定部２０４は、カウンタをインクリメントして在圏時間を計時する場合、時間帯によってカウンタのインクリメント数を２倍にする等、特定の時間帯において、在圏時間に対する利点を与えてもよい。
【０１００】
また、本発明の実施形態に係る無線通信システム１０によれば、在圏時間測定部２０４は、過去に無線端末２がセル３内に在圏しており、その在圏した時間の累積値が記憶部１０３に記憶されている場合には、在圏時間の累積を測定する。
【０１０１】
したがって、一度の在圏の時間のみで電子クーポンの配信の可否を判断するのではなく、過去の在圏時間も考慮した電子クーポンの配信が可能となる。
【０１０２】
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０３】
上述した実施形態では、無線基地局１は、無線端末２からの位置登録要求を受信した場合に、在圏時間の測定を開始し、無線端末２からの在圏応答の電力が所定地未満である場合に、在圏時間の測定を終了したが、在圏時間の測定の開始及び終了は、これに限定されない。例えば、無線基地局１は、無線端末２からの位置登録要求以外の所定の信号を受信した場合に、在圏時間の測定を開始してもよい。
【０１０４】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１０５】
【図１】本発明の実施形態に係る無線通信システムの全体概略構成図である。
【図２】本発明の実施形態に係る無線基地局の概略構成図である。
【図３】本発明の実施形態に係る、無線基地局における制御部の機能ブロック構成図である。
【図４】在圏時間情報の一例を示す図である。
【図５】電子クーポン配信先情報の一例を示す図である。
【図６】電子クーポン配信済み情報の一例を示す図である。
【図７】本発明の実施形態に係る無線端末の概略構成図である。
【図８】本発明の実施形態に係る、無線端末における制御部の機能ブロック構成図である。
【図９】本発明の実施形態に係る、無線基地局の動作を示す第１のフローチャートである。
【図１０】本発明の実施形態に係る、無線基地局の動作を示す第２のフローチャートである。
【符号の説明】
【０１０６】
１…無線基地局、２…無線端末、３…セル、１０…無線通信システム、１０２…制御部、１０３…記憶部、１０４…アンテナ、１０６…無線通信部、１０８…モニタ、１１０…マイク、１１２…スピーカ、１１４…操作部、１５２…制御部、１５３…記憶部、１５４…アンテナ、１５６…無線通信部、１５８…モニタ、１６０…マイク、１６２…スピーカ、１６４…操作部、２０２…情報受信部、２０４…在圏時間測定部、２０６…情報送信部、２０８…電力測定部、２１０…閾値設定部、２５２…情報受信部、２５４…情報識別部、２５６…情報送信部
【図１】
2010124126.tif 000003
【図２】
2010124126.tif 000004
【図３】
2010124126.tif 000005
【図４】
2010124126.tif 000006
【図５】
2010124126.tif 000007
【図６】
2010124126.tif 000008
【図７】
2010124126.tif 000009
【図８】
2010124126.tif 000010
【図９】
2010124126.tif 000011
【図１０】
2010124126.tif 000012